(57)【要約】【課題】無線通信可能な可搬型のＦＰＤを用いた場合であっても、ＦＰＤの位置を容易に認識することができる放射線画像撮影システムを提供する。【解決手段】操作者の操作部への入力指示により放射線画像検出装置６が選択された場合には、選択された放射線画像検出装置６に向けて通信要求を行い、該通信要求に対する前記選択された放射線画像検出装置６からの返信により何れの無線通信基地局５を経由したかを判断し、判断の結果に基づいて前記選択された放射線画像検出装置６の位置する撮影室情報を表示部７７に表示させる。【選択図】図５
2010057707.tif 000002
【特許請求の範囲】
【請求項１】
撮影室に設けられた放射線照射装置からの放射線に基づいて放射線画像データを取得する可搬型の、少なくとも一つの放射線画像検出装置と、
複数の撮影室それぞれに配置され前記放射線画像検出装置と無線通信する複数の無線通信基地局と、
表示部と操作部とを備え、前記無線通信基地局を介して前記放射線画像検出装置と通信する少なくとも一つの制御端末と、
を有する放射線画像撮影システムであって、
前記制御端末は、前記放射線画像検出装置の情報を該表示部に表示させ、操作者の前記操作部への入力指示により該放射線画像検出装置が選択された場合には、選択された放射線画像検出装置に向けて通信要求を行い、該通信要求に対する前記選択された放射線画像検出装置からの返信により何れの無線通信基地局を経由したかを判断し、判断の結果に基づいて前記選択された放射線画像検出装置の位置する撮影室情報を前記表示部に表示させることを特徴とする放射線画像撮影システム。
【請求項２】
前記選択された放射線画像検出装置に向けての通信要求は、複数の無線通信局から発信する一斉呼出であることを特徴とする請求項１に記載の放射線画像撮影システム。
【請求項３】
前記放射線画像検出装置は、装置の各部に電力を供給するバッテリを有し、
放射線画像データの取得が可能な供給電力が多い活動モードと、少なくとも前記無線通信基地局との無線通信は可能で、かつ、該バッテリからの供給電力が少ない省電力モードと、に切り替え可能であり、所定時間継続して放射線画像データの取得を行わない場合には前記省電力モードにすることを特徴とする請求項１又は２に記載の放射線画像撮影システム。
【発明の詳細な説明】
【技術分野】
【０００１】
本発明は放射線画像撮影システムに関し、無線通信を行う可搬型の放射線画像検出装置を用いる放射線画像撮影システムに関する。
【背景技術】
【０００２】
医療診断の場においては、ＣＲカセッテに内蔵された蛍光体プレートを励起光で走査することにより放射線画像データを読み取る読取装置と、当該読取装置で読み取られた放射線画像データを取得する制御装置（コンソール）とを用いたＣＲ（Ｃｏｍｐｕｔｅｄ  Ｒａｄｉｏｇｒａｐｈｙ）システムが実用化されている（特許文献１参照）。
【０００３】
更に、上述したＣＲカセッテに代わり、基板上に２次元的に配列された放射線検出素子を内蔵し、当該放射線検出素子に照射された放射線量に応じた電気信号を出力することが可能な、放射線画像検出装置としてのＦＰＤ（Ｆｌａｔ  Ｐａｎｅｌ  Ｄｅｔｅｃｔｏｒ）装置が提案されている。このＦＰＤを用いれば、励起光を照射して放射線画像を読み取る読取装置を必要とせず、直接的に放射線画像のデータを得ることができるので、ＣＲカセッテを用いた場合よりもシステム自体を小型化することが可能となり、また、撮影作業も円滑となる。
【０００４】
このようなメリットからＣＲカセッテで構築された既存のＣＲシステムに対してＦＰＤへの置き換えを行いたいという要望がある。特に半導体技術の向上により小サイズで軽量化が可能となりＣＲカセッテと同等のサイズの可搬型で無線通信部を備えたＦＰＤを用いることにより置き換えが可能である。
【０００５】
置き換えを行う場合にはＣＲシステムで用いていた放射線を照射する放射線照射部、ＣＲカセットを取り付ける撮影台（いわゆるブッキー装置）等の設備をそのまま流用できるために、導入コストを抑えることができるというメリットがある。
【０００６】
そして、より迅速且つ広範囲な部位の撮影を可能とするため、バッテリを内蔵し、可搬型で無線通信を可能とするカセッテタイプのＦＰＤが考案されている（特許文献２参照）。
【特許文献１】特開２００２−１５８８２０号公報
【特許文献２】特開２００２−２４８０９５号公報
【発明の開示】
【発明が解決しようとする課題】
【０００７】
複数の撮影室が設置されている大規模医療システムにおいては、例えば一のコンソールを複数の撮影室で共通使用する場合には、撮影を行う際にはコンソールから撮影オーダの選択と、当該撮影オーダの撮影に使用するＦＰＤの選択とを行うことになる。
【０００８】
可搬型で無線通信可能なＦＰＤを用いたシステムでは、ＦＰＤは撮影室間を自由に移動させることができ、また無線通信を行う場合には、通信は可能であるが、そのＦＰＤが、複数の撮影室のうちで、どの撮影室に存在しているかが判別できないので、放射線技師が各撮影室を移動して確認する必要があり、効率が悪いという問題が想起される。
【０００９】
本願発明は、上記問題に鑑み、無線通信可能な可搬型のＦＰＤを用いた場合であっても、ＦＰＤの位置を容易に認識することができる放射線画像撮影システムを提供することを目的とする。
【課題を解決するための手段】
【００１０】
１．撮影室に設けられた放射線照射装置からの放射線に基づいて放射線画像データを取得する可搬型の、少なくとも一つの放射線画像検出装置と、
複数の撮影室それぞれに配置され前記放射線画像検出装置と無線通信する複数の無線通信基地局と、
表示部と操作部とを備え、前記無線通信基地局を介して前記放射線画像検出装置と通信する少なくとも一つの制御端末と、
を有する放射線画像撮影システムであって、
前記制御端末は、前記放射線画像検出装置の情報を該表示部に表示させ、操作者の前記操作部への入力指示により該放射線画像検出装置が選択された場合には、選択された放射線画像検出装置に向けて通信要求を行い、該通信要求に対する前記選択された放射線画像検出装置からの返信により何れの無線通信基地局を経由したかを判断し、判断の結果に基づいて前記選択された放射線画像検出装置の位置する撮影室情報を前記表示部に表示させることを特徴とする放射線画像撮影システム。
【００１１】
２．前記選択された放射線画像検出装置に向けての通信要求は、複数の無線通信局から発信する一斉呼出であることを特徴とする前記１に記載の放射線画像撮影システム。
【００１２】
３．前記放射線画像検出装置は、装置の各部に電力を供給するバッテリを有し、
放射線画像データの取得が可能な供給電力が多い活動モードと、少なくとも前記無線通信基地局との無線通信は可能で、かつ、該バッテリからの供給電力が少ない省電力モードと、に切り替え可能であり、所定時間継続して放射線画像データの取得を行わない場合には前記省電力モードにすることを特徴とする前記１又は２に記載の放射線画像撮影システム。
【発明の効果】
【００１３】
本発明によれば、無線通信可能な可搬型のＦＰＤを用いた場合であっても、ＦＰＤの位置を容易に認識することができる放射線画像撮影システムを提供することが可能となる。
【発明を実施するための最良の形態】
【００１４】
本発明を実施の形態に基づいて説明するが、本発明は該実施の形態に限られない。
【００１５】
図１は、本実施形態における放射線画像撮影システム１の概略構成を示す図である。放射線画像撮影システム１は、図１に示すように、放射線撮影に関する情報を管理する管理サーバ２と、放射線撮影に関する操作を行う撮影操作装置４と、例えば無線ＬＡＮ（Ｌｏｃａｌ  Ａｒｅａ  Ｎｅｔｗｏｒｋ）により無線通信を行うための「無線通信基地局」として機能するアクセスポイント５と、放射線画像検出装置６（以下、単にＦＰＤ６という）により生成された放射線画像データに画像処理を行う「制御端末」として機能するコンソール７とがネットワークＮを通じて接続されて構成されている。なお、ここでは図示してないが、放射線画像撮影システム１は、患者診断情報や会計情報を一元管理するＨＩＳ（Ｈｏｓｐｉｔａｌ  Ｉｎｆｏｒｍａｔｉｏｎ  Ｓｙｓｔｅｍ）や放射線診療の情報を管理するＲＩＳ（Ｒａｄｉｏｌｏｇｙ  Ｉｎｆｏｒｍａｔｉｏｎ  Ｓｙｓｔｅｍ）とネットワークＮを介して接続されている。ネットワークＮは、当該システム専用の通信回線であってもよいが、システム構成の自由度が低くなってしまう等の理由のため、イーサネット（登録商標）等の既存の回線である方が好ましい。
【００１６】
１００ａ、１００ｂは撮影室である。撮影室１００ａ（撮影室１）と撮影室１００ｂ（撮影室２）は同様の構成をしており、以下、本願明細書においては構成要素を総称する場合にはアルファベットのａ又はｂの添え字を省略した参照符号で示し、個別の構成要素を指す場合にはａ（撮影室１）、ｂ（撮影室２）の添え字を付した参照符号で示す。
【００１７】
撮影室１００にはそれぞれ放射線照射装置３、撮影操作装置４、無線通信を行うアクセスポイント５、当該アクセスポイントと接続されているルータ９を備えている。なお当該ルータ９には、例えばＲＦＣ１５４１準拠のＤＨＣＰ（Ｄｙｎａｍｉｃ  Ｈｏｓｔ  Ｃｏｎｆｉｇｕｒａｔｉｏｎ  Ｐｒｏｔｏｃｏｌ）サーバ機能を担わせている。
【００１８】
ルータ９により撮影室１００ａ、撮影室１００ｂ、及びコンソール７は、それぞれサブネットワークであるＬＡＮ１、ＬＡＮ２、ＬＡＮ３を構成する。
【００１９】
アクセスポイント５は各撮影室１００に少なくとも一つずつ設置されており、ルータ９は各撮影室１００に設置されている。
【００２０】
放射線照射装置３は、放射線を照射する放射線照射部３０、ＦＰＤ６を装着する装着部３１、臥位撮影台３３又は立位撮影台３２、から構成される。
【００２１】
放射線照射装置３は、撮影操作装置４により制御されて臥位撮影台３３に横たわっている患者Ｐに対して所定の撮影条件で放射線撮影を行うようにする。なお放射線照射装置３と装着部３１に装着したＦＰＤ６との撮影タイミングの同期は、両者間でアクセスポイント５を経由した無線通信により行うようにしてもよいし、装着部３１にコネクタを設けて、コネクタを介した有線通信により行うようにしてもよい。
【００２２】
アクセスポイント５は、放射線照射装置３を備えた撮影室の所定領域内でＦＰＤ６とコンソール７とが無線通信する際に、これらの通信を中継する機能をもつ。なお、無線通信としては無線ＬＡＮ（例えば、ＩＥＥＥ８０２．１１ａ／ｂ／ｇ準拠の通信方式）により行う例について説明するが、これに限られず、電波（空間波）を用いるものの他に、赤外線や可視光線等（レーザー等）を用いた光無線通信（例えば、ＩｒＤＡ）、音波又は超音波を用いた音響通信により無線通信するようにしてもよい。
【００２３】
また各アクセスポイントにはそれぞれ異なるサブネットワークに属しており、それぞれ異なるネットワークアドレスが割り当てられている。また各アクセスポイントにはＦＰＤ６等の端末から受信した電波強度を測定する電波強度測定部（不図示）を備えている。
【００２４】
［管理サーバ２］
管理サーバ２はコンピュータで構成されており、管理サーバ２を構成する各部を制御する制御部、各種情報やユーザの指示を入力する入力操作部、及び、各種情報を記憶する記憶装置等が設けられている（いずれも図示しない）。
【００２５】
管理サーバ２には、データベース２１が接続されている。データベース２１にはそれぞれのＦＰＤ６固有の撮影感度情報や、画素密度、撮影可能サイズ等の情報が後述のカセッテＩＤと対応付けて記憶している。ここでいう撮影感度情報とは、放射線の入射エネルギーを電気信号に変換した際の、ゲイン及びオフセットに加え、入射エネルギーに対しての感度が所定値より低い、又は非線形な特性を有する欠陥画素の位置情報を含む情報のことである。
【００２６】
［コンソール７］
図２は、コンソール７の要部構成を示すブロック図である。コンソール７は、図２に示すように、制御部７４、ＲＡＭ（Ｒａｎｄｏｍ  Ａｃｃｅｓｓ  Ｍｅｍｏｒｙ）７５、ＲＯＭ（Ｒｅａｄ  Ｏｎｌｙ  Ｍｅｍｏｒｙ）７６、表示部７７、入力操作部７８、通信部７９、記憶部７０等を備えて構成されており、各部はバス７１により接続されている。
【００２７】
表示部７７は、例えば、ＣＲＴ（Ｃａｔｈｏｄｅ  Ｒａｙ  Ｔｕｂｅ）やＬＣＤ（Ｌｉｑｕｉｄ  Ｃｒｙｓｔａｌ  Ｄｉｓｐｌａｙ）等を備えて構成され、制御部７４から送られる表示信号の指示に従って、前記患者リスト、各種のメッセージや画像等、各種画面を表示するものである。
【００２８】
入力操作部７８は、例えば、キーボードやマウス等から構成されており、キーボードで押下操作されたキーの押下信号やマウスによる操作信号を入力信号として制御部７４に対して出力するものである。なお、入力操作部７８は、前記表示部７７の表示画面を覆う透明なシートパネルに、指又は専用のスタイラスペンで触れることにより入力される位置情報を入力信号として制御部７４に出力する、いわゆる、タッチパネルにより構成されていてもよい。
【００２９】
特に、本実施形態に係る放射線画像撮影システム１においては、入力操作部７８は、放射線撮影を行う患者情報や撮影情報等の撮影オーダ情報の入力及び、当該撮影オーダ情報と撮影した放射線画像データとの対応付けを行う際にＦＰＤ６のカセッテＩＤ等を表示し、更にその際に対応付け確認画面指示を入力するようにしてもよい。ここでカセッテＩＤ（識別ＩＤともいう）とは、ＦＰＤ６を識別するために各ＦＰＤ６に付されるユニークな識別情報である。
【００３０】
また、表示部７７には、入力操作部７８から入力された患者情報、撮影情報等に基づいて作成された撮影オーダ情報が表示され、入力操作部７８は、この撮影オーダ情報の中から撮影を行う撮影オーダを選択可能となっている。また、コンソール７に対応付けられているＦＰＤ６が複数ある場合には、入力操作部７８は、そのうちいずれのＦＰＤ６によって撮影を行うかを選択可能となっている（詳細は後述する）。これにより、患者をどのＦＰＤ６によって撮影するかの設定が行われる。なお、前記設定が行われると、その情報を管理サーバ２に送信し、当該管理サーバ２の指示により他のコンソール７では患者リスト上で当該患者を選択することができなくなるようにしてもよい。
【００３１】
また、入力操作部７８は、所定操作に基づいてＦＰＤ６による検出結果により得られた放射線画像データの転送指示に係る信号を制御部７４に対して出力する。本実施形態においては、撮影によって得られた放射線画像データは、コンソール７に転送され、コンソール７の制御部７４において、撮影オーダ情報と対応付けられる。撮影オーダ情報と対応付けられた放射線画像データは、必要に応じて記憶部７０に保存され、又は管理サーバ２等の外部装置に転送される。
【００３２】
記憶部７０には、アクセスポイント５、ルータ９の位置情報が記憶されている。ここでいう位置情報とは、どの撮影室１００に存在するかを示す情報である。また各撮影室１００に複数のアクセスポイント５を配置させるようにしてもよい。
【００３３】
通信部７９によりネットワークＮに接続された各装置と通信する。そして当該通信部７９によりネットワークＮに接続されているアクセスポイント５を介して無線ＬＡＮ等の無線通信方式によりＦＰＤ６との間で各種情報の通信を行う。
【００３４】
制御部７４は、ＣＰＵ（Ｃｅｎｔｒａｌ  Ｐｒｏｃｅｓｓｉｎｇ  Ｕｎｉｔ）等から構成され、ＲＯＭ７６に格納される所定のプログラムを読み出してＲＡＭ７５の作業領域に展開し、当該プログラムに従って各種処理を実行するように構成されている。
【００３５】
［ＦＰＤ６］
図３、図４に基づいて放射線画像検出装置としてのＦＰＤ６について説明する。図３はＦＰＤ６の要部構成を示すブロック図であり、図４はＦＰＤ６の斜視図である。図３に示すように、ＦＰＤ６の制御系は、制御部６４、ＲＡＭ６５、ＲＯＭ６６、撮像パネル６３、記憶部６０、電源部６７、無線通信部６９等を備え、各部はバス６１により接続されている。
【００３６】
制御部６４は、例えば、ＣＰＵ等から構成され、ＲＯＭ６６に記憶されている制御プログラムを読み出してＲＡＭ６５内に形成されたワークエリアに展開し、当該制御プログラムに従ってＦＰＤ６の各部を制御する。
【００３７】
ＲＯＭ６６は、不揮発性の半導体メモリ等により構成され、制御部６４で実行される制御プログラム、各種プログラム及び、対応付け制御部として機能する管理サーバ２の宛先情報及びＦＰＤ６のカセッテＩＤ等を記憶する「記憶部」として機能する。
【００３８】
ＲＡＭ６５は、制御部６４により実行制御される各種処理において、ＲＯＭ６６から読み出された制御部６４で実行可能な各種プログラム、入力若しくは出力データ、及びパラメータ等を一時的に記憶するワークエリアを形成する。
【００３９】
図４に示すように、ＦＰＤ６は、内部を保護する筐体６０１を備えており、カセッテとして可搬可能に構成されている。
【００４０】
筐体６０１の内部には、照射された放射線を電気信号に変換する撮像パネル６３が層を成して形成されている。この撮像パネル６３における放射線の照射面側には、入射された放射線の強度に応じて発光を行う発光層６０４が設けられている。
【００４１】
発光層６０４は、一般にシンチレータ層と呼ばれるものであり、例えば、蛍光体を主たる成分とし、入射した放射線に基づいて、波長が３００ｎｍから８００ｎｍの電磁波、すなわち、可視光線を中心に紫外光から赤外光にわたる電磁波（光）を出力する。
【００４２】
この発光層の放射線が照射される側の面と反対側の面には、発光層から出力された電磁波（光）を電気エネルギーに変換して蓄積し、蓄積された電気エネルギーに基づく画像信号の出力を行う光電変換部がマトリクス状に配列された撮像パネル６３が形成されている。なお、１つの光電変換部から出力される信号が、放射線画像データを構成する最小単位となる１画素に相当する信号となる。また撮像パネル６３は、蓄積された電気エネルギーを読み出す走査駆動回路６０９と、蓄積された電気エネルギーを画像信号として出力する信号選択回路６０８とを有する。
【００４３】
記憶部６０は、例えばフラッシュメモリ等の不揮発性メモリやＲＡＭから構成され、撮像パネル６３に蓄積された電気信号が読み取られることにより取得された、複数回分の撮影に相当する放射線画像データを記憶可能となっている。
【００４４】
無線通信部６９は、ＩＥＥＥ８０２．１１規格に準拠した無線ＬＡＮにより、アクセスポイント５を介して、コンソール７との間で各種情報の無線通信を行うものである。
【００４５】
バッテリとしての電源部６７は、ＦＰＤ６を構成する複数の駆動部（制御部６４、撮像パネル６３、記憶部６０など）に電力を供給する。この電源部６７は、例えば予備電池と充電自在な充電池とで構成されており、コネクタ６０５を図示しないクレードルに接続することにより、充電池を充電することが可能である。また電源部６７はモード切替部６８により供給電力が少ない省電力モードと、放射線画像データの取得が可能で供給電力が多い活動モードとを切り替え可能としている。省電力モードを選択することにより電源部６７の電池の消耗を抑えることが可能である。
【００４６】
モード切替部６８は所定時間継続して放射線画像データの取得を行わない場合には省電力モードに移行させる。なお、省電力モードにおいては少なくとも無線通信部６９に対しては電力を供給させているので、コンソール７からの通信要求（後述する）に関しては応答することができる。
【００４７】
［制御フロー］
図５は、放射線画像撮影システムが実行する制御フローを説明する図である。当該制御フローにより、ＦＰＤの位置がどの撮影室に存在しているかを認識することができる。
【００４８】
ステップＳ１１では、放射線技師等の操作者によるＦＰＤ６の選択が入力指示される。ここで図６、図７に基づいて操作者による当該入力指示の手順について説明する。
【００４９】
図６は、コンソール７の表示部７７に表示させた撮影オーダ情報リストの一例を示す図である。図６に示すように、各撮影オーダ情報は、患者情報としての「患者ＩＤ」Ｐ２、「患者氏名」Ｐ３、「性別」Ｐ４、「年齢」Ｐ５及び撮影情報としての「診療科」Ｐ６、「撮影部位」Ｐ７、「撮影方向」Ｐ８、「撮影台」Ｐ９を含んで構成されている。そして、オーダを受け付けた順に、それぞれの撮影オーダ情報に対して「撮影オーダＩＤ」Ｐ１が自動的に割り当てられるようになっている。なお、患者情報や撮影情報としては上述したものに限られることなく、例えば、患者の生年月日、診察回数、放射線の線量などの情報を含むようにしても構わない。また、これらの情報を全て含む必要はなく、撮影目的、撮影フローなどに合わせて撮影オーダ情報に含む情報を適宜設定することができる。これらの情報はネットワークＮに接続されているＨＩＳやＲＩＳから取得され管理サーバ２のデータベース２１に記憶されている。そして管理サーバ２にアクセスすることによりコンソール７では図６に示すような撮影オーダ情報を取得する。そして操作者はｈ１２欄のボタンを操作することにより撮影を行う撮影オーダ情報を選択することができる。選択した後に決定ボタンｈ１３を押し下げることにより、選択された撮影オーダ情報は登録されて記憶部７０に記憶されるとともに、図７に示す設定画面に切り替わる。
【００５０】
図７は、コンソール７の表示部７７に表示させた撮影オーダ情報とカセッテＩＤとの対応付けを行う設定画面の一例を示す図である。図６で選択した撮影オーダ情報が、図７の表示欄ｈ２２に表示されている。そしてコンソール７あるいは管理サーバ２に登録されている使用可能なＦＰＤ６のカセッテＩＤは表示欄ｈ２１に表示されており、表示欄ｈ２２に表示されている撮影オーダＩＤそれぞれに対して撮影を行うＦＰＤ６のカセッテＩＤを、操作ボタンｈ２５を操作することにより選択する。同図に示す例においては撮影オーダＩＤ００１乃至００４の撮影オーダは、カセッテＩＤが「００２」のＦＰＤ６に対応付けられている。そして放射線技師が決定ボタンｈ２３を押し下げることにより対応付けが確定する。なお、一旦この確定操作が行われると、当該確定操作に係る撮影オーダ情報を、他のカセッテＩＤと対応付けることはできないように構成されている。
【００５１】
また表示欄ｈ２１に表示されている各ＦＰＤは、現在どの撮影室に存在するかを表示させることができる。同図ではカセッテＩＤが００１のＦＰＤ６は撮影室１００ａ（撮影室１）に存在していることが判明しているが、カセッテＩＤが００２のＦＰＤ６は所在が不明となっている。同図において操作者が表示欄ｈ２１でカセッテＩＤを選択した上で位置検索ｈ２６のボタンを操作することにより当該ＦＰＤ６の位置の検索を行う。なお、操作ボタンｈ２５を操作して新たなカセッテＩＤを選択することにより、当該ＦＰＤ６の位置の検索を行うようにしてもよい。以下、位置検索について説明する。
【００５２】
図５の制御フローの説明に戻る。ステップＳ１１で操作者が図６、図７に示した設定画面でＦＰＤ６を選択（以下、カセッテＩＤ００２が選択されたものとして説明する）された場合、続くステップＳ１２では、コンソール７は当該ＦＰＤ６への通信要求を全てのＦＰＤ６に向けて発信する。具体的には「一斉呼出」として、全ての撮影室１００の全てのアクセスポイント５を経由して無線通信による通信要求を行う。
【００５３】
当該通信要求に対して、何れかの撮影室１００に当該選択されたカセッテＩＤ（例えばＩＤ００２）のＦＰＤ６が存在した場合には、ステップＳ２１でコンソール７に返信を行う。当該返信の通信データには、経由したアクセスポイント５及びルータ９のＩＰアドレスが経路情報として付加されている。
【００５４】
ステップＳ１３では、コンソール７はステップＳ２１により返信された通信データに含まれる経路情報から、経由したアクセスポイント５を特定する。例えば図１に示す例において、撮影室１００ｂに存在していたカセッテＩＤ００２のＦＰＤ６がコンソール７に対して返信を行う場合には、アクセスポイント５ｂ及びルータ９ｂを経由することになる。コンソール７では、当該アクセスポイント５ｂは、撮影室１００ｂ（撮影室２）に位置するという情報があらかじめ記憶部７０に記憶されているので、当該情報に基づいて、撮影室を特定することができる（ステップＳ１４）。
【００５５】
ステップＳ１５では、表示部７７にステップＳ１４で特定した撮影室を表示する。図７に示す例では表示欄ｈ２１の位置情報欄ｈ２１０にステップＳ１４で特定した撮影室の情報（上記例では、撮影室２）を表示することになる。
【００５６】
ステップＳ１６では、操作者は表示された撮影室で当該ＦＰＤ６を用いて撮影を行うか否かを判断する。当該ＦＰＤ６を用いないのであれば（ステップＳ１６：Ｎｏ）、ステップＳ１１に戻り、他のＦＰＤ６を選択し直す。
【００５７】
当該ＦＰＤ６を用いて撮影を行うのであれば（ステップＳ１６：Ｙｅｓ）、操作者は、図７に示す決定ボタンｈ２３を押し下げることにより、ステップＳ１７に移行する。ステップＳ１７では、コンソール７から選択されたＦＰＤ６に対して撮影オーダ情報を送信する。
【００５８】
ＦＰＤ６では、ステップＳ１７でコンソール７から送信された撮影オーダ情報を記憶部６０に記憶する。
【００５９】
ステップＳ２３では、操作者は撮影オーダ情報に基づいて患者Ｐの撮影を行う。撮影の際には、先ほど選択したＦＰＤ６を用いて撮影操作装置４を操作して撮影を実施する。
【００６０】
ステップＳ２４では、ステップＳ２３で撮影した放射線画像データと撮影オーダ情報をコンソール７に送信する。なお当該送信は放射線画像データを取得する毎に行ってもよく、あるいは一の患者に対する複数の撮影があった場合には、全ての撮影が終了したタイミングで、送信するようにしてもよい。
【００６１】
本実施形態によれば、無線通信可能な可搬型のＦＰＤを用いた場合であっても、操作者はＦＰＤの位置を容易に認識することができる。
【００６２】
図８は、他の実施形態における放射線画像撮影システム１の概略構成を示す図である。同図においては一の撮影室１００の内部構成のみ示しており、その他の構成は、図１乃至図７に示す構成と同様であり説明は省略する。また図８は図１に対応するものであるが、説明に不要な構成については図示を省略している。
【００６３】
同図においては一の撮影室１００に二つの放射線照射装置３ｃ、３ｄが設置されており、放射線照射装置３ｃにはアクセスポイント５ｃが、放射線照射装置３ｄにはアクセスポイント５ｄが対応している。放射線照射装置３ｃの装着部３１にＦＰＤ６が装着されている場合にはアクセスポイント５ｃを経由して無線通信がなされ、放射線照射装置３ｄの装着部３１にＦＰＤ６が装着されている場合には、アクセスポイント５ｄを経由して無線通信が行われる。
【００６４】
また本実施形態においては、コンソール７の記憶部７０には、アクセスポイント５ｃは立位撮影台３２と、アクセスポイント５ｄは臥位撮影台３３と対応付けて記憶されている。
【００６５】
このようなことから、経由するアクセスポイント５によりＦＰＤ６が位置する撮影室が判断できるとともに、撮影台の種類情報も合わせて表示部７７に表示させることができるので、より正確にＦＰＤの位置を認識することができる。
【図面の簡単な説明】
【００６６】
【図１】本実施形態における放射線画像撮影システム１の概略構成を示す図である。
【図２】コンソール７の要部構成を示すブロック図である。
【図３】ＦＰＤ６の要部構成を示すブロック図である。
【図４】ＦＰＤ６の斜視図である。
【図５】放射線画像撮影システムが実行する制御フローを説明する図である。
【図６】コンソール７の表示部７７に表示させた撮影オーダ情報リストの一例を示す図である。
【図７】コンソール７の表示部７７に表示させた撮影オーダ情報とカセッテＩＤとの対応付けを行う設定画面の一例を示す図である。
【図８】他の実施形態における放射線画像撮影システム１の概略構成を示す図である。
【符号の説明】
【００６７】
２  管理サーバ
３  放射線照射装置
３０  放射線照射部
３１  装着部
３２  立位撮影台
３３  臥位撮影台
４ａ、４ｂ  撮影操作装置
５ａ、５ｂ、５ｃ、５ｄ  アクセスポイント
６  ＦＰＤ（放射線画像検出装置）
７  コンソール
７７  表示部
７８  入力操作部
９、９ａ、９ｂ  ルータ
１００ａ、１００ｂ  撮影室
【図１】
2010057707.tif 000003
【図２】
2010057707.tif 000004
【図３】
2010057707.tif 000005
【図４】
2010057707.tif 000006
【図５】
2010057707.tif 000007
【図６】
2010057707.tif 000008
【図７】
2010057707.tif 000009
【図８】
2010057707.tif 000010